(57)【要約】【課題】太陽の光量の変化に拘わらず、循環手段を継続して駆動させることが可能となる熱供給装置を提供する。【解決手段】太陽熱にて熱媒を加熱する太陽熱加熱器４、熱媒を貯留する蓄熱タンクＴ、太陽熱加熱器４にて加熱された熱媒が保有する熱を蓄熱タンクに蓄熱するように、循環路１３を通して太陽熱加熱器４にて加熱された熱媒を循環させる循環手段１４、循環手段１４の作動を制御する制御手段Ｈ、及び、太陽の光量を光電変換作用にて検出する太陽光量検出手段５が設けられ、制御手段Ｈが、太陽光量検出手段５の検出情報に基づいて、太陽の光量が多いときのほうが少ないときよりも循環路１３を通して通流させる熱媒の通流量を多くするように、循環手段１４の作動を制御するように構成されている。【選択図】図１
2011185551.tif 000002
【特許請求の範囲】
【請求項１】
太陽熱にて熱媒を加熱する太陽熱加熱器、熱媒を貯留する蓄熱タンク、前記太陽熱加熱器にて加熱された熱媒が保有する熱を前記蓄熱タンクに蓄熱するように、循環路を通して前記太陽熱加熱器にて加熱された熱媒を循環させる循環手段、及び、前記循環手段の作動を制御する制御手段が設けられた太陽熱利用の熱供給装置であって、
太陽の光量を光電変換作用にて検出する太陽光量検出手段が設けられ、
前記制御手段が、前記太陽光量検出手段の検出情報に基づいて、太陽の光量が多いときのほうが少ないときよりも前記循環路を通して通流させる熱媒の通流量を多くするように、前記循環手段の作動を制御するように構成されている太陽熱利用の熱供給装置。
【請求項２】
前記制御手段が、前記太陽光量検出手段の検出値を設定サンプリンク間隔でサンプリングして、設定時間内のサンプリング値の平均値を太陽の光量として求めるように構成されている請求項１記載の太陽熱利用の熱供給装置。
【請求項３】
前記制御手段が、前記太陽光量検出手段の検出情報に基づいて、太陽の光量が設定量以上のときには前記循環手段を作動させ、且つ、太陽の光量が前記設定量未満のときには前記循環手段を停止させるように、前記循環手段の作動を制御するように構成されている請求項１又は２記載の太陽熱利用の熱供給装置。
【請求項４】
前記蓄熱タンクに貯留されている熱媒の温度を検出する貯留温度検出手段が設けられ、
前記制御手段が、前記貯留温度検出手段の検出情報に基づいて、前記蓄熱タンクに貯留された熱媒の温度が設定温度以上になったときには、通流量を設定小流量にした状態で設定待機時間おきに設定駆動時間の間、前記循環路を通して熱媒を通流させるように、前記循環手段の作動を制御するように構成されている請求項１〜３のいずれか１項に記載の太陽熱利用の熱供給装置。
【請求項５】
前記太陽熱加熱器が、太陽光発電部を備える熱電併給パネルに装着された太陽熱加熱部であり、
前記太陽光量検出手段が、前記太陽光発電部にて構成されている請求項１〜４のいずれか１項に記載の太陽熱利用の熱供給装置。
【発明の詳細な説明】
【技術分野】
【０００１】
本発明は、太陽熱にて熱媒を加熱する太陽熱加熱器、熱媒を貯留する蓄熱タンク、前記太陽熱加熱器にて加熱された熱媒が保有する熱を前記蓄熱タンクに蓄熱するように、循環路を通して前記太陽熱加熱器にて加熱された熱媒を循環させる循環手段、及び、前記循環手段の作動を制御する制御手段が設けられた太陽熱利用の熱供給装置に関する。
【背景技術】
【０００２】
このような太陽熱利用の熱供給装置は、一般家庭に設置して使用されるものであって、太陽熱加熱器にて加熱された熱媒が保有する熱を蓄熱タンクに蓄熱するようにしたものである（例えば、特許文献１参照。）。
そして、蓄熱タンクが蓄熱する熱にて、給湯、暖房、浴槽への湯張り、又は、浴槽の追焚き等を行うことになる。
【０００３】
このような太陽熱利用の熱供給装置においては、特許文献１には明確には記載されていないが、従来一般に、循環手段を作動させると、熱媒が一定の通流量で循環路を通して通流させるように構成されていた。
【０００４】
ちなみに、特許文献１においては、太陽熱加熱器としての集熱器及び蓄熱タンクとしての蓄熱槽の夫々に、熱媒の温度を検出する温度センサが設けられ、制御手段としてのコントローラが、集熱器に設けた温度センサの検出温度が蓄熱槽に設けた温度センサの検出温度よりも設定温度以上高くなると、循環手段としての循環ポンプを駆動し、集熱器に設けた温度センサの検出温度が蓄熱槽に設けた温度センサの検出温度よりも設定温度以上高くないと、循環手段としての循環ポンプを停止させるように構成されている。
【先行技術文献】
【特許文献】
【０００５】
【特許文献１】特開昭６１−２５０４５１号公報
【発明の概要】
【発明が解決しようとする課題】
【０００６】
太陽熱加熱器が熱媒を加熱する加熱量は、太陽の光量によって変化するものであるが、従来では、太陽の光量の変動に拘わらず、循環路を通流する熱媒の通流量が一定であるため、循環手段を駆動させることと停止させることを繰り返すことになる不都合があり、改善が望まれるものであった。
【０００７】
説明を加えると、循環路を通流する熱媒の通流量を一定にする場合には、その通流量は、太陽の光量が十分な光量である場合を基準に定めることになるため、太陽の光量が少ないときには、熱媒の通流量が過剰となるため、熱媒の温度は、太陽の光量が多いときには高くなるものの、太陽の光量が少ないときには低くなることになる。
【０００８】
したがって、例えば、太陽熱加熱器に設けた温度センサの検出温度（以下、加熱側温度と略称）が蓄熱タンクに設けた温度センサの検出温度（以下、タンク側温度と略称）よりも設定温度以上高いと、循環手段を駆動し、加熱側温度がタンク側温度よりも設定温度以上高くないと、循環手段を停止させる場合において、太陽の光量が十分に多いときには、循環手段の駆動を開始しても、加熱側温度が高い温度を維持するため、駆動が開始された循環手段の駆動は、その後も継続されることになるが、太陽の光量が少ないときには、循環手段の駆動を開始すると、加熱側温度が次第に低下するため、駆動が開始された循環手段の駆動が、その後停止させることになる。
【０００９】
つまり、循環路を通流する熱媒の通流量を一定にする場合には、太陽の光量が少ないときに、過剰に低温な熱媒が蓄熱タンクに循環されることを回避する必要上、循環手段を駆動状態と停止状態とを繰り返すように作動させることになり、そして、このように駆動状態と停止状態を繰り返すことによって、循環ポンプ等にて構成される循環手段の耐久性が低下する虞があり、改善が望まれるものであった。
【００１０】
本発明は、上記実情に鑑みて為されたものであって、その目的は、太陽の光量の変化に拘わらず、循環手段を継続して駆動させることが可能となる熱供給装置を提供する点にある。
【課題を解決するための手段】
【００１１】
本発明の太陽熱利用の熱供給装置は、太陽熱にて熱媒を加熱する太陽熱加熱器、熱媒を貯留する蓄熱タンク、前記太陽熱加熱器にて加熱された熱媒が保有する熱を前記蓄熱タンクに蓄熱するように、循環路を通して前記太陽熱加熱器にて加熱された熱媒を循環させる循環手段、及び、前記循環手段の作動を制御する制御手段が設けられたものであって、
その第１特徴構成は、
太陽の光量を光電変換作用にて検出する太陽光量検出手段が設けられ、
前記制御手段が、前記太陽光量検出手段の検出情報に基づいて、太陽の光量が多いときのほうが少ないときよりも前記循環路を通して通流させる熱媒の通流量を多くするように、前記循環手段の作動を制御するように構成されている点を特徴とする。
【００１２】
すなわち、太陽光量検出手段により、太陽の光量が検出される。
そして、制御手段が、太陽光量検出手段の検出情報に基づいて、太陽の光量が多いときのほうが少ないときよりも循環路を通して通流させる熱媒の通流量を多くするように、循環手段の作動を制御することになる。
【００１３】
このように、太陽の光量が多いときには、循環路を通して通流する熱媒の通流量が多くなり、太陽の光量が少ないときには、循環路を通して通流する熱媒の通流量が少なくなるものであるから、太陽の光量が多いときには、熱媒の温度が不必要に上昇することを回避しながら、循環路を通して熱媒を通流させることができ、しかも、太陽の光量が少ないときにも、熱媒の温度が不必要に低下することを回避しながら、循環路を通して熱媒を通流させることができるため、熱媒の温度を適正な温度範囲に維持させた状態で、太陽の光量が多いときにも、太陽の光量が少ないときにも、循環手段を継続して駆動させることが可能となるのである。
【００１４】
しかも、太陽光量検出手段は、光電変換作用により、太陽の光量を検出するものであるから、応答性良く太陽の光量を検出できるため、循環路を通した熱媒の通流量を、太陽の光量の変化に応じて、応答性良く的確に調整できるものとなる。
つまり、循環路を通した熱媒の通流量を調整するにあたり、太陽熱加熱器内に位置する熱媒の温度を検出する温度センサの情報に基づいて、その温度センサの検出温度が適正範囲内になるように、循環路を通した熱媒の通流量を増減調整することが考えられるが、この構成の場合には、太陽の光量の変化によって熱媒の温度が変化する応答性が悪いことに起因して、温度センサの検出温度によっては太陽の光量の変化を応答性良く検出できないため、太陽の光量の変化に応じて、応答性よく、熱媒の通流量を調整し難いものとなるのである。
【００１５】
要するに、本発明の第１特徴構成によれば、太陽の光量の変化に拘わらず、循環手段を継続して駆動させることが可能となる太陽熱利用の熱供給装置を提供するに至った。
【００１６】
本発明の第２特徴構成は、上記第１特徴構成に加えて、
前記制御手段が、前記太陽光量検出手段の検出情報を設定サンプリンク間隔でサンプリングして、設定時間内のサンプリング値の平均値を太陽の光量として求めるように構成されている点を特徴とする。
【００１７】
すなわち、制御手段が、太陽光量検出手段の検出情報を設定サンプリンク間隔でサンプリングし、そして、設定時間内のサンプリング値の平均値を太陽の光量として求めることになる。
【００１８】
このようにして求められた太陽の光量は、設定時間内における太陽の光量の平均値に対応するものであるから、太陽の光量が瞬時的に増減変化しても、その変化によって、熱媒の通流量が不必要に調整されることを回避できるものとなる。
【００１９】
要するに、本発明の第２特徴構成によれば、上記第１特徴構成による作用効果に加えて、太陽の光量の瞬時的な増減変化により、熱媒の通流量が不必要に調整されることを回避できる太陽熱利用の熱供給装置を提供するに至った。
【００２０】
本発明の第３特徴構成は、上記第１又は第２特徴構成に加えて、
前記制御手段が、前記太陽光量検出手段の検出情報に基づいて、太陽の光量が設定量以上のときには前記循環手段を作動させ、且つ、太陽の光量が前記設定量未満のときには前記循環手段を停止させるように、前記循環手段の作動を制御するように構成されている点を特徴とする。
【００２１】
すなわち、制御手段が、太陽の光量が設定量以上のときには作動させ、且つ、太陽の光量が設定量未満のときには停止させるように、循環手段の作動を制御することになる。
【００２２】
つまり、太陽の光量が設定量未満であるときには、太陽熱加熱器にて熱媒が加熱される熱量が少量であるため、循環手段を停止させて、熱媒を通流させないようにし、そして、太陽の光量が設定量以上の場合には、太陽熱加熱器にて熱媒が加熱される量が十分に大きな量であるため、循環手段を作動させて、熱媒を通流させるようにするのである。
【００２３】
このように、太陽の光量が設定量以上の場合には、循環手段を作動させて、太陽熱を適切に蓄熱できるようにしながらも、太陽の光量が設定量未満であるときには、循環手段を停止させて、太陽熱を蓄熱できないときに、循環手段を駆動する無駄を回避できることになる。
【００２４】
要するに、本発明の第３特徴構成によれば、上記第１又は第２特徴構成による作用効果に加えて、太陽熱を適切に蓄熱できるようにしながらも、循環手段を無駄に駆動することを回避できる太陽熱利用の熱供給装置を提供するに至った。
【００２５】
本発明の第４特徴構成は、上記第１〜第３特徴構成のいずれかに加えて、
前記蓄熱タンクに貯留されている熱媒の温度を検出する貯留温度検出手段が設けられ、
前記制御手段が、前記貯留温度検出手段の検出情報に基づいて、前記蓄熱タンクに貯留された熱媒の温度が設定温度以上になったときには、通流量を設定小流量にした状態で設定待機時間おきに設定駆動時間の間、前記循環路を通して熱媒を通流させるように、前記循環手段の作動を制御するように構成されている点を特徴とする。
【００２６】
すなわち、制御手段が、蓄熱タンクに貯留された熱媒の温度が設定温度以上になったときには、設定待機時間おきに、通流量を設定小流量にした状態で、設定駆動時間の間、循環路を通して熱媒を通流させるように、循環手段を作動させることになる。
【００２７】
つまり、蓄熱タンクに貯留された熱媒の温度が十分な高温になれば、太陽熱加熱器にて加熱された熱媒の熱を効率良く貯えることができないものとなるから、循環手段を停止させて、循環手段を作動させることによるエネルギーの消費を抑制することが望まれる。
但し、そのような状態において、循環手段を停止状態に維持させると、循環路や太陽熱加熱器内の熱媒が沸騰するトラブルを招く虞がある。
【００２８】
したがって、太陽熱加熱器にて加熱された熱媒の熱を効率良く貯えることができない温度に対応させて設定温度を定めるようにすることにより、蓄熱タンクに貯留された熱媒の温度が十分な高温になった状態において、循環手段を作動させることを回避できるのであり、しかも、設定待機時間おきに、設定駆動時間の間、循環路を通して熱媒を通流させることにより、循環路や太陽熱加熱器内の熱媒が沸騰することを回避できるのである。
【００２９】
さらには、設定待機時間おきに、設定駆動時間の間、循環路を通して熱媒を通流させるにあたり、通流量を設定小流量にすることにより、循環手段を作動させるために要するエネルギーを減少できるのである。
ちなみに、設定小流量とは、循環路を通して熱媒の通流量を変更調節できる調節可能範囲の小流量側範囲を示すものであり、例えば、最小流量、または、それよりも少し多い流量を設定することが好ましい。
【００３０】
要するに、本発明の第４特徴構成によれば、上記第１〜第３特徴構成のいずれかによる作用効果に加えて、ランニングコストの低下を図る状態で、循環路や太陽熱加熱器内の熱媒が沸騰することを回避できる太陽熱利用の熱供給装置を提供するに至った。
【００３１】
本発明の第５特徴構成は、上記第１〜第４特徴構成のいずれかに加えて、
前記太陽熱加熱器が、太陽光発電部を備える熱電併給パネルに装着された太陽熱加熱部であり、
前記太陽光量検出手段が、前記太陽光発電部にて構成されている点を特徴とする。
【００３２】
すなわち、太陽光発電部及び太陽熱加熱部を備える熱電併給パネルを設置して、熱に加えて電気をも供給できるようにする場合において、太陽光発電部を太陽光量検出手段に兼用させて構成の簡素化を図ることができる。
【００３３】
要するに、本発明の第５特徴構成によれば、上記第１〜第４特徴構成のいずれかによる作用効果に加えて、熱に加えて電気をも供給でき、しかも、そのために備える構成を有効利用して、全体構成の簡素化を図ることができる太陽熱利用の熱供給装置を提供するに至った。
【図面の簡単な説明】
【００３４】
【図１】太陽熱利用の熱供給装置を示す概略図
【図２】制御作動示すフローチャート
【図３】循環ポンプの回転速度と発電量との関係を示す図
【発明を実施するための形態】
【００３５】
本発明にかかる太陽熱利用の熱供給装置の実施形態を図面に基づいて説明する。
〔第１実施形態〕
図１に示すように、太陽熱利用の熱供給装置が、太陽熱利用の熱電併給装置１と、その熱電併給装置１にて生成された熱を利用する貯湯ユニット２と、熱電併給装置１と貯湯ユニット２の運転を制御する制御手段としての運転制御部Ｈなどから構成されている。
【００３６】
貯湯ユニット２は、熱媒を貯留する蓄熱タンクとしての貯湯タンクＴに対する貯湯、一般給湯栓への給湯、浴槽３への湯張り、浴槽２の追焚き、及び、暖房用の端末４への熱媒供給を行うように構成されている。
尚、暖房用の端末４としては、床暖房装置、浴室暖房乾燥機、及び、ファンコンベクタ等が設けられることになる。
【００３７】
熱電併給装置１は、太陽熱にて熱媒を加熱する太陽熱加熱器としての太陽熱加熱部４及び光電変換作用により太陽光により発電する太陽光発電部５が組み込まれた熱電併給パネルＰを備えている。
そして、熱電併給パネルＰにおける太陽光発電部４の発電電力が、系統連系用のインバータ６に入力され、そのインバータ６が、太陽光発電部５の発電電力を商用電源７から受電する受電電力と同じ電圧及び同じ周波数に調整するように構成されている。
つまり、商用電源７の電力が、受電電力供給ライン８を通して、テレビ、冷蔵庫、洗濯機などの電力負荷９に供給されている。そして、インバータ６にて調整された電力が、発電電力供給ライン１０を介して受電電力供給ライン８に供給され、結果的に、太陽光発電部５の発電電力が電力負荷９に供給されるように構成されている。
【００３８】
熱電併給装置１の太陽熱加熱部４にて加熱された熱媒が保有する熱を貯湯タンクＴに蓄熱させるように熱媒を循環させる循環路として、太陽熱加熱部４、貯湯タンクＴ内に設置された放熱部としての授熱用熱交換器１１、及び、気液分離用のタンク部１２を経由する熱媒循環路１３が設けられ、そして、太陽熱加熱部４にて加熱された熱媒を貯湯タンクＴに対して熱媒循環路１３を通して循環させる循環手段としての循環ポンプ１４が設けられている。
【００３９】
気液分離用のタンク部１２には、補給用の熱媒を貯留する大気開放型のリザーブタンク１５が接続され、また、熱媒循環路１３の圧力が大気圧よりも高い高圧側の設定圧以上になると、そのタンク部１２をリザーブタンク１５に連通させるように開き、且つ、熱媒循環路１３内の圧力が大気圧よりも低い低圧側の設定圧以下になると、そのタンク部５８をリザーブタンク１５と連通させるように開くプレッシャーキャップ１６が、タンク部１２に設けられている。
【００４０】
貯湯ユニット２には、貯湯タンクＴの上部から取り出した熱媒を貯湯タンクＴの底部に戻す形態で循環させる加熱用循環路１７（図１では太線で示す）が設けられ、その加熱用循環路１７には、ガスバーナ加熱式の補助熱源機１８、給湯用熱交換器１９、暖房用熱交換器２０、風呂追焚き用熱交換器２１、及び、熱媒循環用の循環ポンプ２２が装備されている。
【００４１】
加熱用循環路１７に、貯湯タンクＴを迂回して熱媒を流動させるバイパス路１７Ａが接続され、貯湯タンクＴを通して熱媒を流動させるタンク経由状態とバイパス路１７を通して熱媒を流動させるバイパス状態とに切換える三方弁２３が設けられている。
【００４２】
貯湯タンクＴは、大気開放型であり、その上部には、オーバーフロー路２４が接続されている。
また、貯湯タンクＴ内には、貯留されている熱媒の温度を検出する貯留温度検出手段としてのサーミスタＳが上下に間隔を隔てて複数設けられている。そして、本実施形態においては、運転制御部Ｈが、複数のサーミスタＳの検出温度の平均値を、貯湯タンクＴに貯留されている熱媒の温度として求めるように構成されている。
尚、例示はしないが、貯湯タンクＴには熱媒補給口が備えられており、適宜熱媒を補給できるように構成されている。
【００４３】
給湯用熱交換器１９には、水道水圧を用いて給水する給水路２５及び給湯路２６が接続されている。つまり、給水路２５を通して供給される湯水が、加熱用循環路１７を通流する熱媒にて加熱されて、加熱された湯水が給湯路２６を通して給湯されるように構成されている。
【００４４】
給湯路２６には、給水路２５から分岐された混合用給水路２７が接続され、その接続箇所に、給湯路２６からの湯水と混合用給水路２７からの水との混合比を調整して給湯温度を調節するミキシングバルブ１１が設けられている。
給水路２５における混合用給水路２７の分岐箇所よりも上流側箇所には、給水温度を検出する給水サーミスタ２９が設けられている。
【００４５】
給湯路２６におけるミキシングバルブ２８よりも上流側には、給湯用熱交換器１９から給湯路２６に給湯された湯水の温度を検出する給湯サーミスタ３０が設けられ、給湯路２６におけるミキシングバルブ２８の下流側箇所には、ミキシングバルブ２８にて混合された湯水の温度を検出するミキシングサーミスタ３１、及び、流量制御弁３２が設けられている。
【００４６】
給湯路２６におけるミキシングサーミスタ３１及び流量制御弁３２の配設箇所よりも下流側部分が、台所や洗面所などの図外の給湯栓に給湯する一般給湯路２６Ａと、浴槽３に湯水を供給するための湯張り路２６Ｂとに分岐されている。
一般給湯路２６Ａには、一般給湯路２６Ａを通流する湯水の流量を検出する流量センサ３３が設けられている。
湯張り路２６Ｂには、湯張り路２６Ｂを通流する湯水の流量を検出する湯張り流量センサ３４、湯張り電磁弁３５、バキュームブレーカ３６、湯張り逆止弁３７が上流側から順に設けられている。
【００４７】
風呂追焚き用熱交換器２１には、浴槽３からの湯水を風呂追焚き用熱交換器２１に戻すための風呂戻り路３８、及び、風呂追焚き用熱交換器２１にて加熱した湯水を浴槽３に供給するための風呂往き路３９が接続され、風呂戻り路３８には、風呂ポンプ４０が装備されている。
そして、風呂ポンプ４９を作動させて、風呂戻り路３８および風呂往き路３９を通して浴槽３内の湯水を循環させることにより、浴槽３内の湯水を、加熱用循環路１７を通流する熱媒により風呂追焚き用熱交換器２１にて加熱するように構成されている。
【００４８】
風呂戻り路３８には、浴槽３内の湯水の循環方向に沿って上流側から順に、浴槽３内の湯水の水位を検出する水位センサ４１、風呂戻り路３８内の湯水の温度を検出する風呂戻りサーミスタ４２、二方弁４３、風呂水流スイッチ４４が設けられている。
【００４９】
上述した給湯路２６から分岐した湯張り路２６Ｂが、浴槽３に接続された風呂戻り路３８に接続され、風呂戻り路３８および風呂往き路３９の両路を通して浴槽３に湯水を供給できるように構成されている。
【００５０】
暖房用熱交換器２０には、暖房用の端末４からの熱媒を戻す暖房戻り路４５及び暖房用熱交換器２０に加熱された熱媒を暖房用の端末４に供給する暖房往き路４６が接続され、暖房戻り路４５には、暖房ポンプ４７が装備されている。
そして、暖房ポンプ４７を作動させて、暖房戻り路３７および暖房往き路３８を通して暖房用の熱媒を循環させることにより、暖房用の熱媒を、加熱用循環路１７を通流する熱媒により暖房用熱交換器２０にて加熱するように構成されている。
【００５１】
暖房戻り路４５には、熱媒の循環方向に沿って上流側から順に、暖房戻り路４５の熱媒の温度を検出する暖房戻りサーミスタ４８、大気開放式の膨張タンク４９が設けられている。
また、暖房往き路４６には、暖房往き路４６の熱媒の温度を検出する暖房往きサーミスタ５０設けられている。
尚、暖房戻り路４５と暖房往き路４６とが、バイパス路５１にて連通接続されている。
【００５２】
運転制御部Ｈは、電源が投入されると、熱電併給装置１における循環ポンプ１４の作動を制御する貯湯運転処理を実行して、貯湯タンクＴの熱媒を太陽熱加熱部４にて加熱することになる。
また、運転制御部Ｈは、運転リモコンＲにて指令された情報及び各種のセンサ類の検出情報等に基づいて、一般給湯路２６Ａに目標設定温度の湯水を給湯する一般給湯処理、湯張り路２６Ｂに目標設定温度の湯水を給湯する湯張り処理、浴槽３の湯水を目標設定温度に追焚きする追焚き処理、及び、暖房用の熱媒を目標設定温度に加熱する暖房運転処理を実行することになる。
【００５３】
運転制御部Ｈは、一般給湯処理、湯張り処理、追焚き処理、及び、暖房運転処理を実行する際には、熱媒循環用の循環ポンプ２２を作動させることになり、そして、貯湯タンクＴ内の熱媒の温度が設定温度（例えば、２０℃）以上である場合には、タンク経由状態となるように三方弁２３を切換え、且つ、貯湯タンクＴ内の熱媒の温度が設定温度（例えば、２０℃）未満である場合には、バイパス状態となるように三方弁２３を切換えることになり、また、熱媒の温度が不足する場合には、補助熱源機１８を作動させる。
【００５４】
ちなみに、貯湯タンクＴ内の熱媒の温度が設定温度（例えば、２０℃）未満である場合において、バイパス状態となるように三方弁２３を切換えるのは、貯湯タンクＴが蓄熱されていなことが明らかであり、かつ、このように貯湯タンクＴに蓄熱されていないときに、補助熱源機１８を作動させて熱媒を加熱した際に、補助加熱機１８が発生する熱量が貯湯タンクＴに蓄熱されないようにした方が好ましいからである。
【００５５】
補助熱源機１８は、詳述はしないが、バーナの燃焼量を制御する制御手段や加熱後の熱媒の温度を検出する熱媒温度センサ等を備えるものであり、例えば、暖房運転処理においては、通流する熱媒を目標設定温度（例えば、６０℃）に加熱するように構成されている。
尚、一般給湯処理、湯張り処理、追焚き処理、及び、暖房運転処理は周知の処理であるので、本書においては、詳細な説明は省略する。
【００５６】
次に、貯湯運転処理について説明を加える。
運転制御部Ｈは、上述の如く、電源の投入によって、熱電併給装置１における循環ポンプ１４の作動を制御することになるが、太陽の光量を検出する太陽光量検出手段としての太陽光発電部５の検出情報、つまり、太陽光発電部５の発電量に基づいて、太陽の光量が大きいときのほうが小さいときよりも熱媒循環路１３を通して通流させる熱媒の通流量を多くするように、循環ポンプ１４の作動を制御するように構成されている。
【００５７】
そして、運転制御部Ｈは、太陽光発電部５の発電量を設定サンプリング間隔（例えば、５００ｍＳ）でサンプリングして、設定時間（例えば、１０秒）内のサンプリング値の平均値を太陽の光量として求める発電量演算処理を行うように構成されている。
【００５８】
また、運転制御部Ｈは、太陽光発電部５の発電量が設定量以上のときには循環ポンプ１４を作動させ、且つ、太陽光発電部５の発電量が設定量未満のときには循環ポンプ１４を停止させるように、循環ポンプ１４の作動を制御するように構成されている。
【００５９】
すなわち、図３に示すように、太陽光発電部５の発電量Ｖが設定量α以上のときには、循環ポンプ１４が作動され、設定量α未満のときには、循環ポンプ１４が停止されることになる。
そして、太陽光発電部５の発電量が設定量α以上のときには、太陽光発電部５の発電量が多くなるほど、循環ポンプ１４の回転速度Ｗが連続的に増加されるように構成されている。
【００６０】
また、運転制御部Ｈが、貯湯タンクＴに貯留されている熱媒の温度を検出する複数サーミスタＳ検出情報に基づいて、貯湯タンクＴに貯留された熱媒の温度が設定温度β（例えば、８０℃）以上になったときには、通流量を設定小流量にした状態で、設定待機時間（例えば、３０分）おきに設定駆動時間（例えば、１０秒）の間、熱媒循環路１３を通して熱媒を通流させるように、循環ポンプ１４の作動を制御するように構成されている。
【００６１】
ちなみに、設定待機時間及び設定駆動時間は、熱媒の沸騰を防止するための時間として、実験結果等により定められることになるが、設定駆動時間は、設定待機時間に較べて十分に小さな時間でよい。
尚、本実施形態では、設定小流量は、熱媒の通流量を変更調節できる範囲の最小流量に定めている。つまり、循環ポンプ１４を速度調節可能範囲の最低速度で駆動するように構成されている。
【００６２】
以下、運転制御部Ｈが実行する貯湯運転処理について、図２に示すフローチャートに基づいて説明する。
先ず、貯湯タンクＴに貯留されている熱媒の温度、つまり、貯湯温度が設定温度βよりも低いか否かを判断する（＃１）。
貯湯温度が設定温度βよりも低い場合には、上述した発電量演算処理を１０秒間行うことになる（＃１２、＃１３）。
この発電量演算処理は、例えば、太陽光発電部５の発電量を設定サンプリング間隔（例えば、５００ｍＳ）にてサンプリングして、サンプリングした発電量を積算し、かつ、その積算値をサンプリング数にて除算することにより、発電量の平均値を求める処理とすることができる。
【００６３】
発電量演算処理を実行した後は、発電量（平均値）が設定量αよりも小さいか否かを判別し（＃４）、小さくないと判別した場合、つまり、発電量（平均値）が設定量α以上の場合には、発電量が多くなるほど、循環ポンプ１４の回転速度Ｗを連続的に増加させる回転速度制御を実行する（＃５）。
＃４にて、発電量（平均値）が設定量αよりも小さいと判別した判別した場合には、循環ポンプ１４を停止させることになる（＃６）
＃５又は＃６の処理を実行した後は、１０秒経過するまで待機し（＃７）、１０秒経過すると、＃１の処理に戻ることになる。
【００６４】
＃１にて、貯湯タンクＴに貯留されている熱媒の温度、つまり、貯湯温度が設定温度βよりも低くないと判別した場合、つまり、貯湯温度が設定温度β以上の場合には、循環ポンプ１４を停止させることになる（＃８）。
次に、貯湯ポンプ１４を停止させている状態が３０分経過しているか否かを判別し（＃９）、３０分経過していない場合には、＃１の処理に戻る。
【００６５】
＃９にて、貯湯ポンプ１４を停止させている状態が３０分経過していると判別した場合には、循環ポンプ１４を設定低速度で１０秒の間駆動し（＃１０、＃１１）、その後は、＃１に戻ることになる。
【００６６】
本実施形態においては、上述の通り、太陽光発電部５の発電量（平均値）に応じて、発電量が多いほど循環ポンプ１４の回転速度を増加させて、熱媒循環路１３を通流する熱媒の通流量を増加させることにより、太陽加熱部４にて加熱されて貯湯タンクＴに供給される熱媒の温度が大きく変動することを抑制しながら、循環ポンプ１４を連続的に駆動させることができる。
【００６７】
また、太陽光発電部５の発電量（平均値）が設定量αよりも小さいときには、循環ポンプ１４を停止させることにより、太陽加熱部４にて加熱されていない熱媒を循環させる無駄を回避できる。
【００６８】
さらに、貯湯タンクＴに貯留された熱媒の温度が設定温度β以上になったときには、通流量を設定小流量にした状態で、設定待機時間おきに設定駆動時間の間、熱媒循環路１３を通して熱媒を通流させるように、循環ポンプ１４を作動させることにより、熱媒循環路１３や太陽加熱部４内に存在する熱媒の沸騰を回避することができる。
【００６９】
〔別実施形態〕
次に別実施形態を説明する。
（イ）  上記実施形態では、太陽熱加熱器としての太陽熱加熱部と蓄熱タンクとしての貯湯タンク内に設けた授熱用熱交換器との間で熱媒を循環させる場合を例示したが、貯湯タンク内に貯留する熱媒を太陽加熱部に流動させる形態で、熱媒を循環させるようにしてもよい。
また、別の形態としては、授熱用熱交換器を貯湯タンクの外部に設け、貯湯タンク内に貯留する熱媒を、授熱用熱交換器に対して循環させるようにしてもよい。
【００７０】
（ロ）  上記実施形態では、太陽光発電部の発電量（平均値）が多いほど循環手段としての循環ポンプの回転速度を、連続的に増加させるようにしたが、太陽光発電部の発電量（平均値）が多いほど循環手段としての循環ポンプの回転速度を速くするにあたり、循環ポンプの回転速度を段階的に増加させるようにしてもよい。
つまり、例えば、太陽光発電部の発電量（平均値）が設定量以下のときには、低速とし、太陽光発電部の発電量（平均値）が設定量よりも大きいときには、高速にする形態で２段階に調整してもよく、また、同様な形態で、３段や４段等、循環ポンプの回転速度を段階的に増加させる形態で実施してもよい。
【００７１】
（ハ）  上記実施形態では、太陽熱加熱器として、熱電併給パネルが備える太陽熱加熱部を例示したが、太陽熱加熱器を単体で設ける形態で実施してもよい。
【００７２】
（ニ）  上記実施形態では、熱電併給パネルが備える太陽光発電部を、太陽光量検出手段として用いる場合を例示したが、専用の光電変換セルを、太陽光量検出手段として設けて実施してもよい。
【００７３】
（ホ）  上記実施形態では、太陽光発電部の発電量に基づいて、循環手段としての循環ポンプを駆動状態と停止状態とに切換えるようにする場合を例示したが、太陽熱加熱部における熱媒の温度が貯湯タンクに貯留されている熱媒の温度よりも設定値以上高いときに、循環手段としての循環ポンプを駆動し、太陽熱加熱部における熱媒の温度が貯湯タンクに貯留されている熱媒の温度よりも設定値以上高くないときには、循環手段としての循環ポンプを停止させる形態で実施してもよい。
【００７４】
（ヘ）  上記実施形態では循環路を通して通流させる熱媒の通流量を変更させるに、循環手段としての循環ポンプの回転速度を変更させる場合を例示したが、循環路の通流抵抗を変更調節する抵抗調節手段を設けて、循環路の通流抵抗を変更調節することにより、熱媒の通流量を変更させる形態で実施してもよい。
【符号の説明】
【００７５】
４      太陽熱加熱器
５      太陽光量検出手段
１３    循環路
１４    循環手段
Ｈ      制御手段
Ｐ      熱電併給パネル
Ｓ      貯留温度検出手段
Ｔ      蓄熱タンク
【図１】
2011185551.tif 000003
【図２】
2011185551.tif 000004
【図３】
2011185551.tif 000005